(57)【要約】【課題】  画像表示装置の検査に際して、画像表示装置の入力回路に対応する出力回路を簡便に設定する。【解決手段】  ビデオ信号発生装置１０は、ＬＶＤＳレシーバ３２を介して入力したビデオ信号によって画像を表示するＬＣＤモジュール３０に対して、ＬＶＤＳトランスミッタ１５ａ〜１５ｃのいずれかを介してビデオ信号を出力するものである。ビデオ信号発生装置１０の特徴は、種類の異なる複数のＬＶＤＳトランスミッタ１５ａ〜１５ｃと、ＬＶＤＳレシーバ３２の種類に対応するＬＶＤＳトランスミッタをＬＶＤＳトランスミッタ１５ａ〜１５ｃの中から選択する出力回路選択部（手動スイッチ２０ａ〜２０ｃ、リモートコントローラ１７及びスイッチコントローラ１６）と、を備えた点にある。【選択図】  図１
2006322963.tif 000002
【特許請求の範囲】
【請求項１】
入力回路を介して入力したビデオ信号によって画像を表示する画像表示装置に対して、前記ビデオ信号を出力回路を介して出力するビデオ信号発生装置において、
種類の異なる複数の前記出力回路と、
前記入力回路の種類に対応する出力回路を前記複数の出力回路の中から選択する出力回路選択部と、
を備えたことを特徴とするビデオ信号発生装置。
【請求項２】
前記出力回路選択部は、手動スイッチの操作に応じて、前記複数の出力回路の中から所定の出力回路を選択する、
請求項１記載のビデオ信号発生装置。
【請求項３】
前記画像表示装置は、前記入力回路の種類を示す入力側情報を記憶する入力側記憶部を有し、
前記複数の出力回路の種類を示す出力側情報を記憶する出力側記憶部と、前記入力側記憶部から前記入力側情報を入力し、この入力側情報と前記出力側記憶部に記憶された出力側情報とを照合することにより、前記入力回路の種類に対応する出力回路を示す選択信号を出力する出力回路決定部と、を当該ビデオ信号発生装置の内部又は外部に備え、
前記出力回路選択部は、前記出力回路決定部から出力された選択信号に応じて、前記入力回路の種類に対応する出力回路を前記複数の出力回路の中から選択する、
請求項１記載のビデオ信号発生装置。
【請求項４】
当該ビデオ信号発生装置が筐体内に収められ、前記複数の出力回路がそれぞれ別々のカード基板に内蔵され、これらの複数のカード基板を機械的かつ電気的に抜き差し自在に接続する複数の挿入口が前記筐体に設けられた、
請求項１乃至３のいずれかに記載のビデオ信号発生装置。
【請求項５】
前記カード基板の仕様がＰＣカードである、
請求項４記載のビデオ信号発生装置。
【請求項６】
前記入力回路はＬＶＤＳレシーバであり、前記出力回路はＬＶＤＳトランスミッタである、
請求項１乃至５のいずれかに記載のビデオ信号発生装置。
【請求項７】
前記画像表示装置はＬＣＤモジュールである、
請求項６記載のビデオ信号発生装置。
【請求項８】
前記画像表示装置の検査の際に、前記ビデオ信号を伝送するケーブルを介して当該画像表示装置に接続される、
請求項１乃至７のいずれかに記載のビデオ信号発生装置。
【発明の詳細な説明】
【技術分野】
【０００１】
本発明は、画像表示装置に画像を表示させるためのビデオ信号を出力するビデオ信号発生装置に関する。
【背景技術】
【０００２】
ＬＶＤＳ（Low Voltage Differential Signaling）とは、パラレル信号を低電圧差動のシリアル信号に変換して伝送する低電圧差動伝送方式のことをいう。ＬＶＤＳによれば、ノイズ及び不要輻射を低減でき、かつ伝送線を削減できる。そのため、ＬＶＤＳは、機器の内部接続をはじめ、液晶ディスプレイやスタッカブルＨＵＢなどのディジタルインターフェースに用いられている（例えば下記特許文献１）。
【０００３】
ＬＣＤモジュールにはＬＶＤＳレシーバが内蔵され、このＬＣＤモジュールの検査等に用いられるビデオ信号発生装置にはパラレルＲＧＢディジタル信号をシリアル信号に変換するＬＶＤＳトランスミッタが内蔵されている。従来、ユーザにおけるＬＣＤモジュールの表示確認及び検査では、ＬＣＤモジュールにビデオ信号発生装置を接続し、ビデオ信号発生装置から出力されるビデオ信号を用いてＬＣＤモジュールに画像を表示していた。
【０００４】
【特許文献１】特開平１０−２８２９３３号公報
【発明の開示】
【発明が解決しようとする課題】
【０００５】
しかしながら、ビデオ信号発生装置は、ＬＣＤモジュールメーカが推奨するＬＶＤＳレシーバに対応する専用のＬＶＤＳトランスミッタを使用する必要があった。なぜなら、ＬＶＤＳレシーバとＬＶＤＳタランスミッタとで、品種が違ったり、品種が同じでもＩＣメーカが違ったりすると、整合がとれなくなるためである。そのため、多品種に渡るＬＣＤモジュールの製品画像検査に際して、ＬＶＤＳトランスミッタを内蔵した基板を品種ごとにケーブルで繋ぎ代えるような煩雑な作業を行っていた。
【０００６】
換言すると、従来、ビデオ信号発生装置の映像データ信号出力は、パラレルＲＧＢディジタル出力及びシリアルＬＶＤＳディジタル出力との二系統に分離され、ＬＣＤ側の入力回路構成により使い分けを行っていた。特に、シリアル出力であるＬＶＤＳ信号出力では、ビデオ信号発生装置に搭載されたトランスミッタ用ＩＣ（パラレル−シリアル信号変換ＩＣ）を１機種しか提供していなかった。そのため、ビデオ信号発生装置のユーザはＬＣＤモジュールの入力回路に使用されているＬＶＤＳレシーバ用ＩＣ（シリアル−パラレル信号復元ＩＣ）と「対」になるトランスミッタ基板を、ビデオ信号発生装置に外付けして対応しなければならかった。また、多機種のＬＣＤモジュールに対応する切り替え制御がないため、煩雑なトランスミッタ交換を余儀なくされていた。
【０００７】
そこで、本発明の目的は、画像表示装置の検査に際して、画像表示装置の入力回路に対応する出力回路を簡便に設定し得る、ビデオ信号発生装置を提供することにある。
【課題を解決するための手段】
【０００８】
本発明に係るビデオ信号発生装置は、入力回路を介して入力したビデオ信号によって画像を表示する画像表示装置に対して、前記ビデオ信号を出力回路を介して出力するものである。そして、本発明に係るビデオ信号発生装置は、種類の異なる複数の前記出力回路と、前記入力回路の種類に対応する出力回路を前記複数の出力回路の中から選択する出力回路選択部と、を備えたことを特徴とする。
【０００９】
ビデオ信号発生装置では、画像表示装置を接続した後、画像表示装置の入力回路の種類に対応する出力回路を、予め備えた複数の出力回路の中から出力回路選択部によって選択する。すると、画像表示装置の入力回路とビデオ信号発生装置の出力回路とで整合性が得られるので、ビデオ信号発生装置から出力されたビデオ信号を使って画像表示装置で画像を表示することが可能となる。続いて、前回と異なる種類の入力回路を有する画像表示装置をビデオ信号発生装置に接続した場合も、その入力回路に対応する出力回路を出力回路選択部によって選択できるので、入力回路の種類ごとにケーブルを繋ぎ代える必要はない。したがって、画像表示装置の検査に際して、画像表示装置の入力回路に対応する出力回路を簡便に設定し得る。
【００１０】
前記出力回路選択部は、手動スイッチの操作に応じて、前記複数の出力回路の中から所定の出力回路を選択する、としてもよい。この場合は、半自動化が実現される。
【００１１】
前記画像表示装置は、前記入力回路の種類を示す入力側情報を記憶する入力側記憶部を有し、前記複数の出力回路の種類を示す出力側情報を記憶する出力側記憶部と、前記入力側記憶部から前記入力側情報を入力し、この入力側情報と前記出力側記憶部に記憶された出力側情報とを照合することにより、前記入力回路の種類に対応する出力回路を示す選択信号を出力する出力回路決定部と、を当該ビデオ信号発生装置の内部又は外部に備え、前記出力回路選択部は、前記出力回路決定部から出力された選択信号に応じて、前記入力回路の種類に対応する出力回路を前記複数の出力回路の中から選択する、としてもよい。この場合は、完全な自動化が実現される。
【００１２】
当該ビデオ信号発生装置が筐体内に収められ、前記複数の出力回路がそれぞれ別々のカード基板に内蔵され、これらの複数のカード基板を機械的かつ電気的に抜き差し自在に接続する複数の挿入口が前記筐体に設けられた、としてもよい。この場合は、新たな種類の入力回路に対しても、その入力回路に対応する新たな出力回路を内蔵したカード基板に交換することによって、対処することができる。また、カード基板の仕様は、ＩＣカードとすることが好ましく、ＰＣカードとすることがより好ましい。この場合は、既存の部品や設備を流用できるので、製造コストを低減できる。
【００１３】
前記画像表示装置はＬＣＤモジュールであり、前記入力回路はＬＶＤＳレシーバであり、前記出力回路はＬＶＤＳトランスミッタである、としてもよい。この場合、ＬＶＤＳはメーカや品種の違いによってレシーバとトランスミッタとの整合が得られなくなる場合が多いので、本発明の効果が顕著に現れる。
【００１４】
また、本発明は次のように言い換えることができる。１．二箇所以上複数のＬＶＤＳシリアル変換信号発生基板の挿入口を有し、カード基板状に形成したＬＶＤＳトランスミッタを複数並列に挿入し接続できる方法を採用したビデオ信号発生装置。２．複数のＬＶＤＳトランスミッタ基板の出力信号をリモートコントロールにより選択できる回路を有するビデオ信号発生装置。３．リモートコントロールする回路として、相補型ＭＯＳトランジスタをＩＣ化したスイッチ切り替え回路としたことを特徴とするビデオ信号発生装置。４．リモートコントロールする回路として、外部接続したパーソナルコンピュータ（以下「ＰＣ」という。）のアルゴリズムを利用してソフトウェア上切り替える回路としたことを特徴とするビデオ信号発生装置。
【００１５】
更に換言すると、本発明は、画像表示装置であるＬＣＤモジュールへ、ビデオ信号発生装置により信号を入力する場合に、ＬＣＤモジュール側の入力回路に合わせた出力回路を、差し込み式のカード基板としてビデオ信号発生装置内に必要数配置し、ビデオ信号発生装置のリモート機能によってこれらの出力回路の切り替えを制御可能とし、更に、ＬＣＤモジュールの製品識別コード信号に基づいて外部ＰＣによりビデオ信号発生装置のリモートコントロール機能を制御可能としたことを特徴とするビデオ信号発生装置である。
【００１６】
本発明によれば、ビデオ信号発生装置のリモートコントロール切り替えにより、ユーザのＬＣＤモジュールの推奨するＬＶＤＳトランスミッタ出力を得ることができる。その理由は、ビデオ信号発生装置のリモートコントロールによるトランジスタスイッチコントローラＩＣを用いたスイッチ切り替え回路を、構成したためである。また、ユーザの所望するＬＶＤＳ出力のカード基板によって、多品種のＬＣＤモジュールに対して簡便に画像を検査できる。その理由は、ビデオ信号発生装置にカードスロットを設け、カード基板を抜き差し可能としたためである。
【発明の効果】
【００１７】
本発明に係るビデオ信号発生装置によれば、画像表示装置の入力回路の種類に対応する出力回路を、予め備えた複数の出力回路の中から選択することにより、入力回路の種類ごとにケーブルを繋ぎ代える必要がなくなるので、画像表示装置の検査に際して、画像表示装置の入力回路に対応する出力回路を簡便に設定できる。
【発明を実施するための最良の形態】
【００１８】
次に、本発明の実施形態について図面を参照して詳細に説明する。ただし、特許請求の範囲における「画像表示装置」、「入力回路」及び「出力回路」は、それぞれ「ＬＣＤモジュール」、「ＬＶＤＳレシーバ」及び「ＬＶＤＳトランスミッタ」と具体化して言い換える。
【００１９】
図１は、本発明に係るビデオ信号発生装置の第一実施形態を示すブロック図である。図２は、図１のビデオ信号発生装置の外観を示す斜視図である。以下、これらの図面に基づき説明する。
【００２０】
まず、構成の概要について説明する。図１に示すように、本実施形態のビデオ信号発生装置１０は、ＬＶＤＳレシーバ３２を介して入力したビデオ信号によって画像を表示するＬＣＤモジュール３０に対して、ＬＶＤＳトランスミッタ１５ａ〜１５ｃのいずれかを介してビデオ信号を出力するものである。このビデオ信号発生装置１０の特徴は、種類の異なる複数のＬＶＤＳトランスミッタ１５ａ〜１５ｃと、ＬＶＤＳレシーバ３２の種類に対応するＬＶＤＳトランスミッタをＬＶＤＳトランスミッタ１５ａ〜１５ｃの中から選択する出力回路選択部（手動スイッチ２０ａ〜２０ｃ、リモートコントローラ１７及びスイッチコントローラ１６）と、を備えた点にある。
【００２１】
図２に示すように、本実施形態では、ビデオ信号発生装置１０が筐体４０内に収められ、ＬＶＤＳトランスミッタ１５ａ〜１５ｃがそれぞれ異なるカード基板４１ａ〜４１ｃに内蔵され、カード基板４１ａ〜４１ｃを機械的かつ電気的に抜き差し自在に接続する複数のスロット（挿入口）４２ａ〜４２ｃが筐体４０に設けられている。カード基板４１ａ〜４１ｃは、ＰＣカードの仕様になっている。
【００２２】
次に、作用の概要について説明する。図１に示すように、ビデオ信号発生装置１０では、ＬＣＤモジュール３０を接続した後、ＬＶＤＳレシーバ３２に対応するＬＶＤＳトランスミッタを、予め備えたＬＶＤＳトランスミッタ１５ａ〜１５ｃの中から選択する。すると、ＬＶＤＳレシーバ３２とＬＶＤＳトランスミッタ（ＬＶＤＳトランスミッタ１５ａ〜１５ｃのいずれか）とで整合性が得られるので、ビデオ信号発生装置１０から出力されたビデオ信号を使ってＬＣＤモジュール３０で画像を表示することが可能となる。続いて、前回と異なる種類のＬＶＤＳレシーバを有するＬＣＤモジュール（図示せず）をビデオ信号発生装置１０に接続した場合も、そのＬＶＤＳレシーバに対応するＬＶＤＳトランスミッタをＬＶＤＳトランスミッタ１５ａ〜１５ｃの中から選択できるので、ＬＶＤＳレシーバ３２の種類ごとにＬＶＤＳケーブル２１を繋ぎ代える必要はない。したがって、ＬＣＤモジュール３０の検査に際して、ＬＣＤモジュール３０のＬＶＤＳレシーバ３２に対応するＬＶＤＳトランスミッタを、ＬＶＤＳトランスミッタ１５ａ〜１５ｃの中から簡便に設定し得る。
【００２３】
図２に示すように、新たな種類のＬＶＤＳレシーバに対しても、そのＬＶＤＳレシーバに対応する新たなＬＶＤＳトランスミッタを内蔵したカード基板に交換することによって、処理することができる。
【００２４】
次に、更に詳しく説明する。図１に示すように、ビデオ信号発生装置１０は、電源回路１１、ＲＯＭ１２、ＰＬＬ１３、パラレルＲＧＢディジタル信号出力ＩＣ１４、ＬＶＤＳトランスミッタ１５ａ〜１５ｃ、スイッチコントローラ１６、リモートコントローラ１７、手動スイッチ２０ａ〜２０ｃ、ＲＧＢコネクタ１８、ＬＶＤＳコネクタ１９等を備えている。一方、ＬＣＤモジュール３０は、ＬＶＤＳコネクタ３１、ＬＶＤＳレシーバ３２、ゲートアレーコントローラ３３、ＬＣＤドライバＩＣ３４，３５、ＬＣＤパネル３６等を備えている。ＬＶＤＳコネクタ１９とＬＶＤＳコネクタ３１とは、ＬＶＤＳケーブル２１によって接続される。電源回路１１は、ＲＯＭ１２を始め、ビデオ信号発生装置１０及びＬＣＤモジュール３０の各ブロックに電力を供給する。少なくともＬＶＤＳトランスミッタ１５ａ〜１５ｃ及びＬＶＤＳレシーバ３２はＩＣ化されている。
【００２５】
図２に示すように、ビデオ信号発生装置１０は、ＬＣＤモジュール３０のメーカ各社が推奨するＬＶＤＳトランスミッタ１５ａ〜１５ｃをそれぞれ内蔵するカード基板４１ａ〜４１ｃを、スロット４２ａ〜４２ｃに並列に差し込める構造を有する。各カード基板４１ａ〜４１ｃのＬＶＤＳ出力信号は手動スイッチ２０ａ〜２０ｃの操作によって容易に切り替えられるので、ＬＣＤモジュール３０のＬＶＤＳレシーバ３２と「対」となる所定のＬＶＤＳ出力信号を得ることができる。
【００２６】
次に、ビデオ信号発生装置１０の動作を説明する。ＲＯＭ１２の映像データは、ＰＬＬ（クロック信号発生回路）１３に同期してパラレルＲＧＢディジタル信号出力ＩＣ１４に送られ、ＴＴＬレベルのパラレル信号となって出力される。続いて、このパラレル信号が三つに分岐され、それぞれＬＶＤＳトランスミッタ１５ａ〜１５ｃのカード基板４１ａ〜４１ｃに入力される。
【００２７】
各カード基板４１ａ〜４１ｃのＬＶＤＳ出力信号は、後段のスイッチコントローラ１６及び手動スイッチ２０ａ〜２０ｃによって切り替えられて、ユーザ所望のＬＶＤＳ出力信号となってＬＶＤＳコネクタ１９へ出力される。一方、パラレルＲＧＢディジタル信号は単独信号としてＲＧＢコネクタ１８へ出力される。
【００２８】
ビデオ信号発生装置１０からのＬＶＤＳ出力信号は、専用のＬＶＤＳケーブル２１及びＬＶＤＳコネクタ３１を介してＬＶＤＳレシーバ３２に入力される。ＬＶＤＳレシーバ３２によってパラレルＲＧＢディジタル信号に戻された映像信号は、ゲートアレイコントローラ３３によって映像データが分離される。その映像信号は、同期信号とともにＬＣＤドライバ３４，３５に入力される。以上の処理によって、ＲＯＭ１２の映像データがＬＣＤパネル３６に画像として再現される。
【００２９】
図３は、図１のビデオ信号発生装置における出力回路選択部を示す回路図である。図４は、図３の出力回路選択部におけるトランジスタスイッチ回路を示す回路図である。以下、図１、図３及び図４に基づき説明する。
【００３０】
前述したように、出力回路選択部は、手動スイッチ２０ａ〜２０ｃ、リモートコントローラ１７及びスイッチコントローラ１６から構成されている。手動スイッチ２０ａ〜２０ｃは、手動操作によって接点が開閉する一般的なものである。
【００３１】
リモートコントローラ１７は、手動スイッチ２０ａ〜２０ｃのそれぞれの開閉に応じた選択スイッチ信号Ａ〜Ｃを出力する。このとき、手動スイッチ２０ａ〜２０ｃの接点が閉であれば選択スイッチ信号Ａ〜ＣはＬレベル（オン）となり、手動スイッチ２０ａ〜２０ｃの接点が開であれば選択スイッチ信号Ａ〜ＣはＨレベル（オフ）となる。本実施形態におけるリモートコントローラ１７は、例えば図７［１］に示すようなＨレベル電圧Ｖ及びプルアップ抵抗器２３ａ〜２３ｃによって構成される。
【００３２】
スイッチコントローラ１６は、ＬＶＤＳトランスミッタ１５ａの出力ラインａ１〜ａＮと手動スイッチ２０ａの出力ライン２２ａとの交点、ＬＶＤＳトランスミッタ１５ｂの出力ラインｂ１〜ｂＮと手動スイッチ２０ｂの出力ライン２２ｂとの交点、及び、ＬＶＤＳトランスミッタ１５ｃの出力ラインｃ１〜ｃＮと手動スイッチ２０ｃの出力ライン２２ｃとの交点に、それぞれ設けられた３Ｎ個のトランジスタスイッチ回路５０から成る。
【００３３】
トランジスタスイッチ回路５０は、ｎチャネルＦＥＴ５１、ｐチャネルＦＥＴ５２及びダイオード５３，５４から成る。ｎチャネルＦＥＴ５１及びｐチャネルＦＥＴ５２は、４００ＭＨｚ以上の周波数で発信するＬＶＤＳ出力信号（シリアル信号）に対して追随するＣＭＯＳインバータを構成している。すなわち、ｐチャネルＦＥＴ５２のソースが出力ラインｃ１に接続され、ｎチャネルＦＥＴ５１のソースがアースラインＧｎｄに接続され、ｎチャネルＦＥＴ５１及びｐチャネルＦＥＴ５２のゲートが出力ライン２２ｃに接続され、ｎチャネルＦＥＴ５１及びｐチャネルＦＥＴ５２のドレインが出力ラインＯｃ１に接続されている。ダイオード５３はｎチャネルＦＥＴ５１のドレイン−ソース間に接続され、ダイオード５４はｐチャネルＦＥＴ５２のドレイン−ソース間に接続されている。ダイオード５３，５４は、リップル信号を除去する働きをする。
【００３４】
次に、出力回路選択部の動作を説明する。スイッチコントローラ１６は、ＬＶＤＳトランスミッタ１５ａの出力ラインａ１，ａ２，ａ３・・・ａＮ、ＬＶＤＳトランスミッタ１５ｂの出力ラインｂ１、ｂ２，ｂ３・・・ｂＮ、及び、ＬＶＤＳトランスミッタ１５ｃの出力ラインｃ１、ｃ２、ｃ３・・・ｃＮから、それぞれのＬＶＤＳ出力信号を入力する。その一方で、スイッチコントローラ１６は、リモートコントローラ１７から選択スイッチ信号Ａ，Ｂ，Ｃを入力する。その結果、選択スイッチ信号Ａがオンかつ選択スイッチ信号Ｂ，Ｃがオフの場合、出力ラインＯａ１，Ｏａ２，Ｏａ３・・・ＯａＮからのＬＶＤＳ出力信号を得る。同様に、選択スイッチ信号Ｂによって出力ラインＯｂ１、Ｏｂ２、Ｏｂ３・・・ＯｂＮからのＬＶＤＳ出力信号が得られ、選択スイッチ信号Ｃによって出力ラインＯｃ１，Ｏｃ２，Ｏｃ３・・・〇ｃＮからのＬＶＤＳ出力信号が得られる。この選択スイッチ信号Ａ，Ｂ，Ｃによって得られたＬＶＤＳ出力信号は、出力ラインＯ１〜ＯＮからＬＶＤＳコネクタ１９へ出力されて、ビデオ信号発生装置１０からの映像出力信号となる。
【００３５】
図５は、本発明に係るビデオ信号発生装置の第二実施形態を示す構成図である。図６は、図５のビデオ信号発生装置のコンパレータを示す論理回路図である。以下、図１、図５及び図６に基づき説明する。ただし、第一実施形態と同じ部分又はほぼ同じ部分は、図示及び説明を省略する。
【００３６】
ＬＣＤモジュール３０のゲートアレイコントローラ３３は、ＬＶＤＳレシーバ３２の種類を示す入力側情報を記憶する。ＰＣ６０は、ＬＶＤＳトランスミッタ１５ａ〜１５ｃの種類を示す出力側情報を記憶するとともに、ゲートアレイコントローラ３３から入力側情報を入力し、この入力側情報と記憶している出力側情報とを照合することにより、ＬＶＤＳレシーバ３２の種類に対応するＬＶＤＳトランスミッタ１５ａ〜１５のいずれかを示す選択信号を出力する。リモートコントローラ１７及びスイッチコントローラ１６は、ＰＣ６０から出力された選択信号に応じて、ＬＶＤＳトランスミッタ１５ａ〜１５の中からＬＶＤＳレシーバ３２に対応するものを選択する。これにより、完全な自動化が実現される。
【００３７】
詳しく言えば、本実施形態では、ＬＣＤモジュール３０に内蔵されたゲートアレイコントローラ３３に回路固定されている品種固有のＥＤＩＤ（電子データ製品識別コード）を利用して、カード基板４１ａ〜４１ｃすなわちＬＶＤＳトランスミッタ１５ａ〜１５ｃの切り替えを、ＰＣ６０によって制御する。
【００３８】
ＬＣＤモジュール３０側のＥＤＩＤコードは、８ｂｉｔの出力信号としてゲートアレイコントローラ３３に回路固定されている。ＰＣ６０は、ＥＤＩＤコードのデータを取り込み、ＰＣ６０内に予め記憶されている製品コードとＥＤＩＤコードとをコンパレータ（比較演算子）７０で照合することにより、所定のＬＶＤＳトランスミッタ１５ａ〜１５ｃを選択する信号を、ビデオ信号発生装置１０のリモートコントローラ１７へ伝達する。これにより、スイッチコントローラ１６が制御され、選択されたＬＶＤＳトランスミッタ１５ａ〜１５ｃのＬＶＤＳ出力信号が得られる。
【００３９】
図５では、ＥＤＩＤコードの８ｂｉｔデータとＰＣ６０側に登録された８ｂｉｔデータとを比較する一例を示している。ＬＣＤモジュール３０のＥＤＩＤコード＃１１０１１１００＃をＰＣ６０に入力し、ＰＣ６０側に予め登録された製品一覧の中からコード＃１１０１１１００＃に一致した製品信号を抽出し、その製品信号を次段のＲＯＭ８０へ３ｂｉｔで出力する。
【００４０】
図６では、ＰＣ６０にプログラムされる計算根拠となる、コンパレータ７０の論理ゲート回路の動作を示している。入力信号の論理値の一致及び不一致に関して、出力Ｚの意味を次のように定める。入力Ｘ＝入力Ｙのとき出力Ｚ＝１、入力Ｘ≠入力Ｙのとき出力Ｚ＝０とする。この結果を生じる論理式は、Ｚ＝Ｘ・Ｙ＋/Ｘ・/Ｙである。ただし、「/Ｘ」はＸの上に―が付記された記号を示す。/Ｙも同様である。この論理式の真理値表は、以下のように、排他的論理和の否定と同じになる。
【００４１】
入力        出力
Ｘ  Ｙ      Ｚ
０  ０      １
０  １      ０
１  ０      ０
１  １      １
【００４２】
この真理値表を満たす動作をするコンパレータ７０は、図６に示すように、アンドゲート７１，７２、オアゲート７３及びノットゲート７４，７５によって構成できる。このコンパレータ７０の動作の結果から、ＬＣＤモジュール３０のＥＤＩＤコードにＰＣ登録済みＩＤコードが一致した場合にのみ、次段のＲＯＭ８０へハイレベル信号及び製品識別コード信号が出力される。
【００４３】
ＲＯＭ８０には、例示した＃１１０１１１００＃の製品識別コードに相当する基板選択アドレスを、事前にプログラムしておく。この基板選択アドレスは、ＰＣ６０の出力信号として図１のリモートコントローラ１７に入力され、Ａアドレス“００１”、Ｂアドレス“０１０”、Ｃアドレス“１００”のように３ビットで表わされる。本実施形態では３機種選択としたが、この基板選択アドレスを用いれば８機種まで選択可能である。本実施形態におけるリモートコントローラ１７は、例えば図７［２］に示すような２進−１０進デコーダによって構成される。
【００４４】
なお、本発明は、言うまでもなく、上記各実施形態に限定されるものではない。例えば、ＬＣＤの代わりにＥＬディスプレイとしてもよく、ＬＶＤＳの代わりにＴＭＤＳ（Transition Minimized Differential Signaling）としてもよい。
【図面の簡単な説明】
【００４５】
【図１】本発明に係るビデオ信号発生装置の第一実施形態を示すブロック図である。
【図２】図１のビデオ信号発生装置の外観を示す斜視図である。
【図３】図１のビデオ信号発生装置における出力回路選択部を示す回路図である。
【図４】図３の出力回路選択部におけるトランジスタスイッチ回路を示す回路図である。
【図５】本発明に係るビデオ信号発生装置の第二実施形態を示す構成図である。
【図６】図５のビデオ信号発生装置におけるコンパレータを示す論理回路図である。
【図７】図１のビデオ信号発生装置におけるリモートコントローラを示す回路図であり、図７［１］は第一例（第一実施形態）、図７［２］は第二例（第二実施形態）である。
【符号の説明】
【００４６】
１０  ビデオ信号発生装置
１１  電源回路
１２  ＲＯＭ
１３  ＰＬＬ
１４  パラレルＲＧＢディジタル信号出力ＩＣ
１５ａ〜１５ｃ  ＬＶＤＳトランスミッタ（出力回路）
１６  スイッチコントローラ（出力回路選択部）
１７  リモートコントローラ（出力回路選択部）
２０ａ〜２０ｃ  手動スイッチ（出力回路選択部）
１８  ＲＧＢコネクタ
１９  ＬＶＤＳコネクタ
３０  ＬＣＤモジュール（画像表示装置）
３１  ＬＶＤＳコネクタ
３２  ＬＶＤＳレシーバ（入力回路）
３３  ゲートアレイコントローラ（入力側記憶部）
３４，３５  ＬＣＤドライバＩＣ
３６  ＬＣＤパネル
４０  筐体
４１ａ〜４１ｃ  カード基板
４２ａ〜４２ｃ  スロット（挿入口）
６０  ＰＣ（出力側記憶部及び出力回路決定部）
【図１】
2006322963.tif 000003
【図２】
2006322963.tif 000004
【図３】
2006322963.tif 000005
【図４】
2006322963.tif 000006
【図５】
2006322963.tif 000007
【図６】
2006322963.tif 000008
【図７】
2006322963.tif 000009